【手続補正書】
【提出日】平成17年12月28日(2005.12.28)
【手続補正１】
【補正対象書類名】特許請求の範囲
【補正対象項目名】全文
【補正方法】変更
【補正の内容】
【特許請求の範囲】
【請求項１】
紫外線の有害な影響に対して、内容物を保護するための方法であって、
該方法は、透明な、もしくはかすかに着色したプラスチック容器又はフィルム中に前記内容物を貯蔵することからなり、
そして該容器又はフィルムは、
（ａ）縮合反応を受けることが可能なポリマー成分、及び
（ｂ）１つ以上の紫外線吸収部分の有効安定化量
からなり、
前記部分は、前記ポリマー成分に永久的に共有結合し、かつ耐久性ヒドロキシフェニルベンゾトリアゾール紫外線吸収剤からなる群から選択された紫外線吸収剤から、縮合を通して誘導される、
紫外線の有害な影響に対して、内容物を保護するための方法。
【請求項２】
前記ヒドロキシフェニルベンゾトリアゾール紫外線吸収剤が式（Ｉ）、（ＩＩ）又は（ＩＩＩ）
【化１】
2005517787.tif 000001
[式中、
Ｇ1及びＧ1’は、独立して、水素原子又はハロゲン原子を表わし、
Ｇ2及びＧ2’は、独立して、ハロゲン原子、ニトロ基、シアノ基、１ないし１２個の炭素原子を有するペルフルオロアルキル基、−ＣＯＯＧ3、−Ｐ（Ｏ）（Ｃ6Ｈ5）2、−ＣＯ−Ｇ3、−ＣＯ−ＮＨ−Ｇ3、−ＣＯ−Ｎ（Ｇ3）2、−Ｎ（Ｇ3）−ＣＯ−Ｇ3、Ｅ3Ｓ−、Ｅ3ＳＯ−又はＥ3ＳＯ2−を表わすか；又は、Ｇ2及びＧ2’の一方は、水素原子をも表わし、
Ｇ3は、水素原子、１ないし２４個の炭素原子を有する直鎖又は枝分かれ鎖のアルキル基、２ないし１８個の炭素原子を有する直鎖又は枝分かれ鎖のアルケニル基、５ないし１２個の炭素原子を有するシクロアルキル基、７ないし１５個の炭素原子を有するフェニルアルキル基、フェニル基、又は、１ないし４個の炭素原子を有するアルキル基１ないし４個によってフェニル環上を置換された前記フェニル基又は前記フェニルアルキル基を表わし、
Ｅ1は、水素原子、１ないし２４個の炭素原子を有する直鎖又は枝分かれ鎖のアルキル基、２ないし２４個の炭素原子を有する直鎖又は枝分かれ鎖のアルケニル基、５ないし１２個の炭素原子を有するシクロアルキル基、７ないし１５個の炭素原子を有するフェニルアルキル基、フェニル基、又は、１ないし４個の炭素原子を有するアルキル基１ないし４個によってフェニル環上を置換された前記フェニル基又は前記フェニルアルキル基を表わすか；又は、Ｅ1は、１又は２個のヒドロキシ基によって置換された、１ないし２４個の炭素原子を有するアルキル基を表わし、
Ｅ1が、７ないし１５個の炭素原子を有するフェニルアルキル基又はフェニル基、もしくは、１ないし４個の炭素原子を有するアルキル基１ないし４個によってフェニル環上を置換された前記フェニル基又は前記フェニルアルキル基を表わす場合、Ｇ2はまた、水素原子をも表し得、
Ｅ2は、各々、１個以上の−ＯＨ、−ＯＣＯＥ11、−ＮＣＯ、−ＮＨ2、−ＮＨＣＯＥ11、−ＮＨＥ4又はグリシジルオキシ基によって、もしくはそれらの混合物によって置換された、１ないし２４個の炭素原子を有する直鎖又は枝分かれ鎖のアルキル基又は２ないし１８個の炭素原子を有する直鎖又は枝分かれ鎖のアルケニル基か；又は、１個以上の−Ｏ−、−ＮＨ−又は−ＮＥ4−基によって、又はそれらの混合物によって中断された前記ア
ルキル基もしくは前記アルケニル基を表わし、ここでＥ4は、１ないし２４個の炭素原子を有する直鎖又は枝分かれ鎖のアルキル基を表わし、
Ｅ2’は、１ないし２４個の炭素原子を有する直鎖又は枝分かれ鎖のアルキル基、２ないし１８個の炭素原子を有する直鎖又は枝分かれ鎖のアルケニル基、５ないし１２個の炭素原子を有するシクロアルキル基、７ないし１５個の炭素原子を有するフェニルアルキル基、フェニル基、又は、１ないし４個の炭素原子を有するアルキル基１ないし３個によってフェニル環上を置換された前記フェニル基又は前記フェニルアルキル基を表わすか；又は、
Ｅ2’は、１個以上の−ＯＨ、−ＯＣＯＥ11、−ＯＥ4、−ＮＣＯ、−ＮＨ2、−ＮＨＣＯＥ11、−ＮＨＥ4、−Ｎ（Ｅ4）2又はグリシジルオキシ基によって、もしくはそれらの混合物によって置換された、１ないし２４個の炭素原子を有する前記アルキル基又は２ないし１８個の炭素原子を有する前記アルケニル基を表わし、ここでＥ4は、１ないし２４個の炭素原子を有する直鎖又は枝分かれ鎖のアルキル基を表わすか；又は、１個以上の−Ｏ−、−ＮＨ−又は−ＮＥ4−基によって、又はそれらの混合物によって中断され、かつ未置換の又は１個以上の−ＯＨ、−ＯＥ4又は−ＮＨ2基、もしくはそれらの混合物によって置換され得る前記アルキル基もしくは前記アルケニル基を表わし、
ｎは１又は２を表わし、
ｎが１を表わす場合、
Ｅ5は、ＯＥ6又はＮＥ7Ｅ8を表わすか、又はＥ5は、−ＰＯ（ＯＥ12）2、−ＯＳｉ（ＯＥ11）3又は−ＯＣＯ−Ｅ11、もしくは、−Ｏ−、−Ｓ−又はＮＥ11によって中断され、かつ未置換の又は−ＯＨもしくは−ＯＣＯ−Ｅ11によって置換され得る直鎖又は枝分かれ鎖の炭素原子数１ないし２４のアルキル基、未置換の又は−ＯＨによって置換された炭素原子数５ないし１２のシクロアルキル基、未置換の又は−ＯＨによって置換された直鎖又は枝分かれ鎖の炭素原子数２ないし１８のアルケニル基、炭素原子数７ないし１５のアラルキル基、−ＣＨ2−ＣＨＯＨ−Ｅ13又はグリシジル基を表わし、
Ｅ6は、水素原子、未置換の又は１個以上の−ＯＨ、ＯＥ4又はＮＨ2基によって置換された直鎖又は枝分かれ鎖の炭素原子数１ないし２４のアルキル基を表わすか、又は、−ＯＥ6は−（ＯＣＨ2ＣＨ2）WＯＨ又は−（ＯＣＨ2ＣＨ2）WＯＥ21を表わし、ここで、ｗは１ないし１２を表わし、Ｅ21は１ないし１２個の炭素原子を有するアルキル基を表わし、
Ｅ7及びＥ8は、独立して、水素原子、１ないし１８個の炭素原子を有するアルキル基、−Ｏ−、−Ｓ−又は−ＮＥ11−によって中断された直鎖又は枝分かれ鎖の炭素原子数３ないし１８のアルキル基、炭素原子数５ないし１２のシクロアルキル基、炭素原子数６ないし１４のアリール基又は炭素原子数１ないし３のヒドロキシアルキル基を表わすか、又は、Ｅ7及びＥ8は、Ｎ原子と一緒になってピロリジン、ピペリジン、ピペラジン又はモルホリン環を表わし、
Ｅ5は、−Ｘ−（Ｚ）P−Ｙ−Ｅ15
［式中、Ｘは、−Ｏ−又はＮ（Ｅ16）を表わし、
Ｙは、−Ｏ−又はＮ（Ｅ17）を表わし、
Ｚは、炭素原子数２ないし１２のアルキレン基、１ないし３個の窒素原子、酸素原子、又はそれらの混合物によって中断された炭素原子数４ないし１２のアルキレン基を表わすか、又は、各々、ヒドロキシル基によって置換された、炭素原子数３ないし１２のアルキレン基、ブテニレン基、ブチニレン基、シクロヘキシレン基又はフェニレン基を表わす。］を表わし、
ｍは０、１又は２を表わし、
ｐは１を表わすか、又は、Ｘ及びＹが、それぞれ、−Ｎ（Ｅ16）−及び−Ｎ（Ｅ17）−を表わす場合、ｐはまた、０をも表わし、
Ｅ15は、基−ＣＯ−Ｃ（Ｅ18）＝Ｃ（Ｈ）Ｅ19を表わすか、又は、Ｙが−Ｎ（Ｅ17）−を表わす場合、Ｅ17と一緒になって、基−ＣＯ−ＣＨ＝ＣＨ−ＣＯ−を形成し、
ここで、Ｅ18は、水素原子又はメチル基を表わし、Ｅ19は、水素原子、メチル基又は−ＣＯ−Ｘ−Ｅ20［式中、Ｅ20は、水素原子、炭素原子数１ないし１２のアルキル基、又は
式
【化２】
2005517787.tif 000002
（式中、記号Ｅ1、Ｇ2、Ｘ、Ｚ、ｍ及びｐは、上記で定義した意味を有する。）］
で表わされる基を表わし、
Ｅ16及びＥ17は、互いに独立して、水素原子、炭素原子数１ないし１２のアルキル基、１ないし３個の酸素原子によって中断された炭素原子数３ないし１２のアルキル基を表わすか、又はシクロヘキシル基もしくは炭素原子数７ないし１５のアラルキル基を表わし、Ｚがエチレン基を表わす場合、Ｅ16はＥ17と一緒になって、エチレン基も形成し、
ｎが２を表わす場合、Ｇ2の１つはまた、水素原子をも表わし、
Ｅ5は、２価の基−Ｏ−Ｅ9−Ｏ−又は−Ｎ（Ｅ11）−Ｅ10−Ｎ（Ｅ11）−の１つを表わし、
Ｅ9は、炭素原子数２ないし８のアルキレン基、炭素原子数４ないし８のアルケニレン基、炭素原子数４のアルキニレン基、シクロヘキシレン基、−Ｏ−によって、又は−ＣＨ2−ＣＨＯＨ−ＣＨ2−Ｏ−Ｅ14−Ｏ−ＣＨ2−ＣＨＯＨ−ＣＨ2−によって中断された直鎖又は枝分かれ鎖の炭素原子数４ないし１０のアルキレン基を表わし、
Ｅ10は、−Ｏ−、シクロヘキシレン基、又は
【化３】
2005517787.tif 000003
によって中断され得る直鎖又は枝分かれ鎖の炭素原子数２ないし１２のアルキレン基を表わすか、
又は、Ｅ10及びＥ11は、２個の窒素原子と一緒になってピペラジン環を形成し、
Ｅ14は、直鎖又は枝分かれ鎖の炭素原子数２ないし８のアルキレン基、−Ｏ−、シクロアルキレン基、アリーレン基又は
【化４】
2005517787.tif 000004
によって中断される直鎖又は枝分かれ鎖の炭素原子数４ないし１０のアルキレン基を表わし、
ここで、Ｅ7及びＥ8は、独立して、水素原子、１ないし１８個の炭素原子数を有するアルキル基を表すか、又は、Ｅ7及びＥ8は、一緒になって、４ないし６個の炭素原子を有するアルキレン基、３−オキサペンタメチレン基、３−イミノペンタメチレン基もしくは３−メチルイミノペンタメチレン基を表し、
Ｅ11は水素原子、直鎖又は枝分かれ鎖の炭素原子数１ないし１８のアルキル基、炭素原子数５ないし１２のシクロアルキル基、直鎖又は枝分かれ鎖の炭素原子数２ないし１８のアルケニル基、炭素原子数６ないし１４のアリール基又は炭素原子数７ないし１５のアラルキル基を表し、
Ｅ12は直鎖又は枝分かれ鎖の炭素原子数１ないし１８のアルキル基、直鎖又は枝分かれ鎖の炭素原子数３ないし１８のアルケニル基、炭素原子数５ないし１０のシクロアルキル基、炭素原子数６ないし１６のアリール基又は炭素原子数７ないし１５のアラルキル基を表し、
Ｅ13はＨ、−ＰＯ（ＯＥ12）2によって置換された直鎖又は枝分かれ鎖の炭素原子数１ないし１８のアルキル基、未置換の又はＯＨによって置換されたフェニル基、炭素原子数７ないし１５のアラルキル基、又はＣＨ2ＯＥ12を表し、
Ｅ3は、１ないし２０個の炭素原子を有するアルキル基、２ないし２０個の炭素原子を有するヒドロキシアルキル基、２ないし９個の炭素原子を有するアルコキシカルボニル基によって置換されたアルキル基、３ないし１８個の炭素原子を有するアルケニル基、５ないし１２個の炭素原子を有するシクロアルキル基、７ないし１５個の炭素原子を有するフェニルアルキル基、６ないし１０個の炭素原子を有するアリール基、又は１ないし４個の炭素原子を有するアルキル基１もしくは２個によって置換された前記アリール基、又はぺルフルオロアルキル部分が６ないし１６の炭素原子を有する１，１，２，２−テトラヒドロぺルフルオロアルキル基を表し、
Ｌは、１ないし１２個の炭素原子を有するアルキレン基、２ないし１２個の炭素原子を有するアルキリデン基、ベンジリデン基、ｐ−キシリレン基、α，α，α’，α’−テトラメチル−ｍ−キシリレン基又はシクロアルキリデン基を表す。]で表わされるものである請求項１記載の方法。
【請求項３】
前記ヒドロキシフェニルベンゾトリアゾール紫外線吸収剤が、
（ａ）３−（５−トリフルオロメチル−２Ｈ−ベンゾトリアゾール−２−イル）−５−第三ブチル−４−ヒドロキシヒドロ桂皮酸；
（ｂ）メチル３−（５−トリフルオロメチル−２Ｈ−ベンゾトリアゾール−２−イル）−５−第三ブチル−４−ヒドロキシヒドロシンナメート；
（ｃ）イソオクチル３−（５−トリフルオロメチル−２Ｈ−ベンゾトリアゾール−２−イ
ル）−５−第三ブチル−４−ヒドロキシヒドロシンナメート；
（ｄ）５−トリフルオロメチル−２−［２−ヒドロキシ−５−（３−ヒドロキシプロピル）フェニル］−２Ｈ−ベンゾトリアゾール；
（ｅ）５−トリフルオロメチル−２−［２−ヒドロキシ−３−α−クミル−５−（２−ヒドロキシエチル）フェニル］−２Ｈ−ベンゾトリアゾール；
（ｆ）５−トリフルオロメチル−２−［２−ヒドロキシ−３−α−クミル−５−（３−ヒドロキシプロピル）フェニル］−２Ｈ−ベンゾトリアゾール；
（ｇ）５−トリフルオロメチル−２−［２−ヒドロキシ−３−第三ブチル−５−（３−ヒドロキシプロピル）フェニル］−２Ｈ−ベンゾトリアゾール；
（ｈ）５−トリフルオロメチル−２−［２−ヒドロキシ−３−第三ブチル−５−（２−ヒドロキシエチル）フェニル］−２Ｈ−ベンゾトリアゾール；
（ｉ）５−トリフルオロメチル−２−［２−ヒドロキシ−５−（２−ヒドロキシエチル）フェニル］−２Ｈ−ベンゾトリアゾール；
（ｊ）イソオクチル３−（５−クロロ−２Ｈ−ベンゾトリアゾール−２−イル）−５−第三ブチル−４−ヒドロキシヒドロシンナメート；
（ｋ）イソオクチル３−（５−フェニルスルホニル−２Ｈ−ベンゾトリアゾール−２−イル）−５−第三ブチル−４−ヒドロキシヒドロシンナメート；
（ｌ）メチル３−（５−フェニルスルホニル−２Ｈ−ベンゾトリアゾール−２−イル）−５−第三ブチル−４−ヒドロキシヒドロシンナメート；
（ｍ）３−（５−フェニルスルホニル−２Ｈ−ベンゾトリアゾール−２−イル）−５−第三ブチル−４−ヒドロキシヒドロ桂皮酸；
（ｎ）３−（５−トリフルオロメチル−２Ｈ−ベンゾトリアゾール−２−イル）−α−クミル−４−ヒドロキシヒドロ桂皮酸；
（ｏ）イソオクチル３−（５−クロロ−２Ｈ−ベンゾトリアゾール−２−イル）−５−第三ブチル−４−ヒドロキシヒドロシンナメート；
（ｐ）メチル３−（５−クロロ−２Ｈ−ベンゾトリアゾール−２−イル）−５−第三ブチル−４−ヒドロキシヒドロシンナメート；
（ｑ）３−（５−クロロ−２Ｈ−ベンゾトリアゾール−２−イル）−５−第三ブチル−４−ヒドロキシヒドロ桂皮酸；
（ｒ）メチル３−（５−フルオロ−２Ｈ−ベンゾトリアゾール−２−イル）−５−第三ブチル−４−ヒドロキシヒドロシンナメート；
（ｓ）５−トリフルオロメチル−２−［２−ヒドロキシ−３−第三ブチル−４−（２−ヒドロキシエトキシ）フェニル］−２Ｈ−ベンゾトリアゾール；
（ｔ）５−クロロ−２−［２−ヒドロキシ−３−第三ブチル−４−（２−ヒドロキシエトキシ）フェニル］−２Ｈ−ベンゾトリアゾール、
及び
（ｕ）５−（メトキシカルボニルメチルスルホニル）−３，５−ジ−第三ブチル−２−ヒドロキフェニル−２Ｈ−ベンゾトリアゾール
からなる群から選択される請求項２記載の方法。
【請求項４】
前記プラスチック容器又はフィルムが、硬質又は軟質であり、かつ単層又は多層であり、
各々の層は、ポリエステル、ポリオレフィン、ポリオレフィンコポリマー、エチレン−酢酸ビニル、ポリスチレン、ポリ（塩化ビニル）、ポリ（塩化ビニリデン）、ポリアミド、セルロース系材料、ポリカーボネート、エチレン−ビニルアルコール、ポリ（ビニルアルコール）、ポリ（ビニルアルコール）コポリマー、スチレン−アクリロニトリル、アイオノマー、部分的に加水分解されたポリ（酢酸ビニル）、ポリ（エチレン−コ−ビニルアルコール）、塩化ポリビニリデン、ポリウレタン、ＰＶＤＣ及びエポキシからなる群から選択される１種以上のポリマーからなるところの請求項１記載の方法。
【請求項５】
前記成分（ｂ）の紫外線吸収部分が、前記容器又はフィルムの外面に適用される塗料中へ配合される請求項４記載の方法。
【請求項６】
前記プラスチック容器又はフィルムが、更に、抗酸化剤、他の紫外線吸収剤、立体障害性アミン、ホスフィット又はホスホナイト、ヒドロキシルアミン、ニトロン、ベンゾフラン−２−オン、チオ相乗剤、ポリアミド安定剤、金属ステアレート、核剤、充填剤、強化剤、滑剤、乳化剤、染料、顔料、蛍光増白剤、難燃剤、静電防止剤及び発泡剤からなる群から選択される補助添加剤を少なくとも１種含む請求項１記載の方法。
【請求項７】
（ａ）縮合反応を受けることが可能なポリマー成分、及び
（ｂ）１つ以上の紫外線吸収部分の有効安定化量
からなり、
前記部分は、ポリマー成分に永久的に共有結合し、かつ耐久性ヒドロキシフェニルベンゾトリアゾール紫外線吸収剤からなる群から選択された紫外線吸収剤から、縮合を通して誘導され、
かつ、前記成分（ｂ）が前記ポリマー成分（ａ）の重量に基づいて、約２．５重量％ないし約９５重量％の量である、
ポリマーマスターバッチ。